【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
正面を前方に向けた対象物を設置場所に設置するための対象物設置機構であって、
対象物を支持する上架台と、
設置場所に設けられ前記上架台を下側から支持する下架台と、
を備え、
前記上架台または下架台のうちの一方が上下方向から見て前後方向に離れて配される前後一対の案内部を設けられ、
前記上架台または下架台のうちの他方が前後方向に離れて配され前記案内部に前後方向に往復移動自在に案内される前後一対の被案内部を設けられ、
前後一対の前記案内部のうちの少なくとも一つの前記案内部が上下方向から見て前後方向に延びる案内溝を持ち、
前後一対の被案内部のうちの少なくとも一つの前記被案内部が上下方向から見て前記案内溝の前後方向に延びる輪郭を形成する左右一対の縁部に案内されて前後方向に転動する球面を形成された車輪を持ち、
ことを特徴とする対象物設置機構。
【請求項２】
前記案内溝の前後方向に延びる輪郭を形成する左右一対の縁部の幅が前方または後方のうちの一方に推移するのにつれて狭くなる、
ことを特徴とする請求項１に記載の対象物設置機構。
【請求項３】
前記案内溝の前後一対の端部のうちの一方の前記端部が１８０度を超える円弧角度をもつ円弧状に形成され閉じる、
ことを特徴とする請求項２に記載の対象物設置機構。
【請求項４】
前記案内溝の前後一対の端部のうちの左右一対の縁部の幅が狭くなる側の前記端部が１８０度を超える円弧角度をもつ円弧状に形成され閉じる、
ことを特徴とする請求項３に記載の対象物設置機構。
【請求項５】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項４に記載の対象物設置機構。
【請求項６】
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の前方の前記端部が１８０度を超える円弧角度をもつ円弧状に形成されて閉じる、
ことを特徴とする請求項５に記載の対象物設置機構。
【請求項７】
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのに
つれて狭くなる、
ことを特徴とする請求項６に記載の対象物設置機構。
【請求項８】
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の後方の前記端部が１８０度を超える円弧角度をもつ円弧状に形成されて閉じる、
ことを特徴とする請求項７に記載の対象物設置機構。
【請求項９】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項８に記載の対象物設置機構。
【請求項１０】
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の後方の前記端部が１８０度を超える円弧角度をもつ円弧状に形成されて閉じる、
ことを特徴とする請求項９に記載の対象物設置機構。
【請求項１１】
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項１０に記載の対象物設置機構。
【請求項１２】
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の前方の前記端部が１８０度を超える円弧角度をもつ円弧状に形成されて閉じる、
ことを特徴とする請求項１１に記載の対象物設置機構。
【請求項１３】
前記案内溝の前後一対の端部のうちの一方の前記端部が１８０度を超える円弧角度をもつ円弧状に形成され閉じる、
ことを特徴とする請求項１に記載の対象物設置機構。
【請求項１４】
前記案内溝の前後一対の端部のうちの左右一対の縁部の幅が狭くなる側の前記端部が１８０度を超える円弧角度をもつ円弧状に形成され閉じる、
ことを特徴とする請求項１に記載の対象物設置機構。
【請求項１５】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項１に記載の対象物設置機構。
【請求項１６】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の前方の前記端部が１８０度を超える円弧角度をもつ円弧状に形成されて閉じる、
ことを特徴とする請求項１に記載の対象物設置機構。
【請求項１７】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項１に記載の対象物設置機構。
【請求項１８】
前記下架台が上下方向から見て前後方向に離れて配される前後一対の案内部を設けられ、
前記上架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の後方の前記端部が１８０度を超える円弧角度をもつ円弧状に形成されて閉じる、
ことを特徴とする請求項１に記載の対象物設置機構。
【請求項１９】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が後方に推移するのにつれて狭くなる、
ことを特徴とする請求項１に記載の対象物設置機構。
【請求項２０】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの前方の前記案内部である前方案内部が上下方向から見て前後方向に延びて前後一対の端部である前端部と後端部とが円弧状に形成されて閉じた長尺の溝である案内溝を持ち、
前記前方案内部の前記案内溝の後方の前記端部が１８０度を超える円弧角度をもつ円弧状に形成されて閉じる、
ことを特徴とする請求項１に記載の対象物設置機構。
【請求項２１】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが閉じた長尺の溝である案内溝を持ち、
前記案内溝の前後方向に延びる輪郭を形成する左右一対の縁部の幅が前方に推移するのにつれて狭くなる、
ことを特徴とする請求項１に記載の対象物設置機構。
【請求項２２】
前記上架台が上下方向から見て前後方向に離れて配される前後一対の案内部を設けられ、
前記下架台が前後方向に離れて配され前記案内部に前後方向に往復移動自在に案内される前後一対の被案内部を設けられ、
前後一対の案内部のうちの後方の前記案内部である後方案内部が上下方向から見て前後方向に延びて前後一対の端部である前端部と後端部とが円弧状に形成されて閉じた長尺の溝である案内溝を持ち、
前記後方案内部の前記案内溝の前方の前記端部が１８０度を超える円弧角度をもつ円弧状に形成されて閉じる、
ことを特徴とする請求項１に記載の対象物設置機構。